(57)【要約】【課題】  非接触型ＩＣ媒体処理装置におけるシャッタ開閉構造において、シャッタを駆動している駆動源に無理な負荷がかからないようにする。【解決手段】  シャッタ１１はシャフト２７を回動中心として、載置部１５ａの上方を覆う位置と開放する位置との間を移動するように回動自在に支持されている。シャッタ１１の側部１１Ａに固定された支持板３５には、ラック部材３６がボルト３７，３７を介してシャフト２７を回動中心としてわずかに回動可能に支持されている。ラック部材３６は、両端部のそれぞれと支持板３５との間に懸架された一対の引張りコイルばね３８Ａ，３８Ｂとによって中立位置が保持されるように弾持されている。ラック部材３６に形成されたラック３６ｂは、モータの駆動によって回転するピニオン３２ａに噛合している。ラック部材３６が中立位置からわずかに移動したことを移動検知手段４１が検知することによりモータの駆動が停止する。【選択図】  図８
2010049403.tif 000002
【特許請求の範囲】
【請求項１】
非接触型ＩＣ媒体を直接的または間接的に載置する載置部と、この載置部に載置された非接触型ＩＣ媒体と非接触状態で当該非接触型ＩＣ媒体に記録されているデータの読み・書きを行うデータ処理手段と、前記載置部を覆う位置と開放する位置とに移動自在に支持されたシャッタと、このシャッタを移動させる駆動部とを備えた非接触型ＩＣ媒体処理装置におけるシャッタ開閉構造において、
前記駆動部を、モータの駆動によって回転するピニオンと、このピニオンと噛合し前記シャッタに当該シャッタの移動方向に向かって移動自在に支持されたラックと、このラックと前記シャッタとの間に介装されシャッタに対するラックの移動を規制し当該ラックを中立位置に弾持する付勢手段とによって構成し、前記ラックの中立位置からの移動を検知する移動検知手段を備え、この移動検知手段による検知によって前記モータの駆動を停止することを特徴とする非接触型ＩＣ媒体処理装置におけるシャッタ開閉構造。
【請求項２】
前記ラックに凹部を形成し、
前記移動検知手段は、シャッタ側に固定され前記ラックの凹部に係合する凸部を有する板ばねを備え、
前記中立位置で前記凸部と前記凹部とが係合することを特徴とする請求項１記載の非接触型ＩＣ媒体処理装置におけるシャッタ開閉構造。
【発明の詳細な説明】
【技術分野】
【０００１】
本発明は、非接触型ＩＣ媒体に記録されているデータをアンテナを介して非接触状態で処理する非接触型ＩＣ媒体処理装置におけるシャッタ開閉構造に関するものである。
【背景技術】
【０００２】
この種の装置では、載置部に載置された携帯電話機等の携帯端末機に内蔵された非接触型ＩＣ媒体や財布等に収納されている非接触型ＩＣ媒体に記録されたデータを処理している最中に、故意または誤って携帯端末機や財布等を装置から抜き取られないようにするため、載置部に載置された携帯端末機や財布等を覆うシャッタが設けられている。従来の非接触型ＩＣ媒体処理装置としては、非接触型ＩＣ媒体と非接触状態でデータの通信を行う通信手段と、この通信手段を介して前記非接触型ＩＣ媒体に記録されているデータの読み・書きを行うデータ処理手段と、前記非接触型ＩＣ媒体を載置する載置部と、この載置部に前記非接触型ＩＣ媒体を載置するための窓と、この窓を開閉するシャッタとを備えたものがある（例えば、特許文献１参照）。
【特許文献１】特開２００６−４８４５５号公報
【発明の開示】
【発明が解決しようとする課題】
【０００３】
上述した従来の非接触型ＩＣ媒体処理装置におけるシャッタ開閉構造においては、閉まりかけたシャッタを故意または誤って手によって押さえると、シャッタを駆動している駆動源に無理な負荷がかかるという問題があった。
【０００４】
本発明は上記した従来の問題に鑑みなされたものであり、その目的とするところは、シャッタを駆動している駆動源に無理な負荷がかからないようにした非接触型ＩＣ媒体処理装置におけるシャッタ開閉構造を提供するところにある。
【課題を解決するための手段】
【０００５】
この目的を達成するために、本発明は、非接触型ＩＣ媒体を直接的または間接的に載置する載置部と、この載置部に載置された非接触型ＩＣ媒体と非接触状態で当該非接触型ＩＣ媒体に記録されているデータの読み・書きを行うデータ処理手段と、前記載置部を覆う位置と開放する位置とに移動自在に支持されたシャッタと、このシャッタを移動させる駆動部とを備えた非接触型ＩＣ媒体処理装置におけるシャッタ開閉構造において、前記駆動部を、モータの駆動によって回転するピニオンと、このピニオンと噛合し前記シャッタに当該シャッタの移動方向に向かって移動自在に支持されたラックと、このラックと前記シャッタとの間に介装されシャッタに対するラックの移動を規制し当該ラックを中立位置に弾持する付勢手段とによって構成し、前記ラックの中立位置からの移動を検知する移動検知手段を備え、この移動検知手段による検知によって前記モータの駆動を停止するものである。
【０００６】
本発明は、前記発明において、前記ラックに凹部を形成し、前記移動検知手段は、シャッタ側に固定され前記ラックの凹部に係合する凸部を有する板ばねを備え、前記中立位置で前記凸部と前記凹部とが係合するものである。
【発明の効果】
【０００７】
本発明によれば、閉まりかけたシャッタを故意または誤って手によって押さえると、ラックが移動し、この移動が移動検知手段によって検知されることにより、シャッタを駆動しているモータの駆動が停止するため、モータに無理な負荷がかかるようなことがない。
【０００８】
前記発明のうちの一つの発明によれば、板ばねの凸部がラックの凹部に係合し、板ばねの弾性力によってラックの中立位置が保持されるため、モータの駆動がラックを介して確実にシャッタに伝達されるから、シャッタの回動動作が確実に行われる。
【発明を実施するための最良の形態】
【０００９】
以下、本発明の実施の形態を図に基づいて説明する。図１は本発明に係る非接触型ＩＣ媒体処理装置を分解して示す斜視図、図２は同じく全体の外観を示す斜視図、図３は同じく平面図、図４は図３におけるIV-IV 線断面図、図５は同じく一部を破断して示す平面図、図６ないし図８は図５におけるVI-VI 線断面図であって、図６はシャッタを閉じた状態を示し、図７はシャッタを開いた状態を示し、図８はシャッタを閉じるときに負荷がかかった状態を示す。
【００１０】
図１に全体を符号１で示す非接触型ＩＣ媒体処理装置（以下、単に処理装置という）は、底板２と、この底板２に立設した状態で取り付けられ上面に表示部４ａを有する表示部材４が固定される背面板３と、この背面板３に取り付けられ互いに対向する一対の両側板５，５とからなる筺体６を備えており、この筺体６には、図２および図６に示すように前方と上方とに開口６ａが設けられている。
【００１１】
また、この処理装置１は、図１に示すように、非接触型ＩＣ媒体７（以下、単に媒体７という）を入れた例えば財布８（図４参照）を載置する載置部１５ａを有する載置部ユニット１０と、この載置部ユニット１０の載置部１５ａを覆う位置と開放する位置とで移動自在に支持されたシャッタ１１と、このシャッタ１１を移動させる駆動部１２と、この駆動部１２に取り付けられるアンテナユニット１３とによって概ね構成されている。
【００１２】
載置部ユニット１０は、図１に示すように中央部に載置部１５ａを有する載置板１５と、この載置板１５の両側部に互いに対向するように立設された一対の側面部１６Ａ，１６Ｂと、載置板１５の周縁が下方に向かって折曲形成された袴部１７とを備え、載置板１５の前面側には一対のストッパ１８，１８が隙間１９を有して立設されている。この載置部ユニット１０は、図２に示すように、ストッパ１８側が相対的に低くなるように載置板１５が傾斜した状態で、底板２に取り付けられた一対の支持部材２０，２０に固定されている。載置部１５ａの一部には、図２に示すように後述する発光素子２３Ａから発光された光２３Ｃを通過させる透光部１５ｂが設けられている。
【００１３】
この載置部ユニット１０の側面部１６Ａには、図３に示すように第１および第２の赤外線発信器２１Ａ，２２Ａが設けられており、側面部１６Ｂには、これら第１および第２の赤外線発信器２１Ａ，２２Ａから発信された赤外線２１Ｃ，２２Ｃのそれぞれが受信される第１および第２の赤外線受信器２１Ｂ，２２Ｂが設けられている。これら第１および第２の赤外線発信器２１Ａ，２２Ａと第１および第２の赤外線受信器２１Ｂ，２２Ｂとは、両側面部１６Ａ，１６Ｂ間に存在する手を検知する手検知手段として機能するものであって、後述するようにシャッタ１１の閉じ動作を規制する。
【００１４】
また、載置部ユニット１０の側面部１６Ａには、図３および図４に示すように発光素子２３Ａが設けられており、この発光素子２３Ａから発光された光２３Ｃは、駆動部１２を搭載するベース板２５に取り付けられた受光素子２３Ｂに受光される。すなわち、発光素子２３Ａから発光された光２３Ｃは、図４に示すように、正面視において斜め下方を指向しており、載置部１５ａの透光部１５ｂを通過した後、後述するアンテナ基板４３の透孔４３ａを通過し受光素子２３Ｂに受光される。これら発光・受光素子２３Ａ，２３Ｂは、載置部１５ａに載置される媒体７を入れた状態の財布８を検知する媒体検知装置として機能し、検知することによりアンテナ基板４３を介して媒体７に記録されているデータの読み・書きを行う。
【００１５】
次に、図１および図６を用いて、シャッタ１１を回動させるための駆動部１２について説明する。これらの図において、駆動部１２には、底板２に立設されたスタッド２６に取り付けられたベース板２５を備えており、このベース板２５には互いに対向するように折曲形成された一対の軸支持部２５ａ，２５ａと、共に傾斜するように折曲形成されアンテナユニット１３が取り付られる取付部２５ｂおよび上述した受光素子２３Ｂが取り付けられる取付部２５ｃとが設けられている。
【００１６】
軸支持部２５ａ，２５ａには、シャッタ１１の回動中心となるシャフト２７が回転自在に支持されている。２８はブラケット２９を介してベース板２５に固定されたモータであって、出力軸２８ａには、図６に示すようにモータギア３０が軸着されている。３１はブラケット２９に回転自在に支持されモータギア３０に噛合するギアであって、小径ギア３１ａが一体に設けられている。３２はブラケット２９に回転自在に支持され小径ギア３１ａに噛合するギアであって、ピニオン３２ａが一体に設けられている。
【００１７】
シャッタ１１は、図１に示すように断面コ字状に形成されるように、両端部に互いに対向するように折曲形成された両側部１１Ａ，１１Ｂが設けられており、これら両側部１１Ａ，１１Ｂの下端部に形成した小孔１１ｂ，１１ｂに、シャフト２７の両端部のそれぞれが軸着されている。したがって、シャッタ１１は、シャフト２７を回動中心として、図６に示す載置部１５ａを覆う位置と、図７に示す載置部１５ａを開放する位置との間を回動自在に支持されている。一方の側部１１Ａには、略正方形に形成された支持板３５が互いの面を対接させるようにして取り付けられており、この支持板３５の互いに対向する角部に近接した部位には、図６に示すようにばね掛け止め部３５ａ，３５ａが切り起こされている。
【００１８】
３６はシャフト２７を中心とした円弧状に形成されたラックであって、両端部に一対の長孔３６ａ，３６ａが設けられており、下面に歯３６ｂが形成され、上面の中央部には断面Ｖ字状の凹部３６ｃが形成されている。このラック３６は、長孔３６ａ，３６ａ内を挿通させ、支持板３５に螺合させたボルト３７，３７を介して、シャフト２７を回動中心として図中時計・反時計方向に所定の範囲だけ支持板３５に回動自在に支持されている。また、ラック３６の両端部のそれぞれと支持板３５の各ばね掛け止め部３５ａとの間に懸架された一対の引張りコイルばね３８Ａ，３８Ｂの引張力によって、ラック３６が互いに反対方向に引っ張られることにより、ラック３６は回動が規制された状態、すなわち停止した状態で支持板３５に弾持されている。この状態で、ラック３６の歯３６ｂとピニオン３２ａとが噛合しており、後述するようにモータ２８が正・逆方向に駆動されることにより、ラック３６を介してシャッタ１１がシャフト２７を回動中心時計・反時計方向に回動する。
【００１９】
３９は基端部が支持板３５に取り付けられた検知用の板ばねであって、揺動端部にラック３６の凹部３６ｃに係合する断面Ｖ字状の凸部３９ａが形成されている。４０は支持板３５に固定されたリミットスイッチであって、ラック３６のわずかな回動を検知する。すなわち、ラック３６が引張りコイルばね３８Ａ，３８Ｂによって弾持され、支持板３５に対して移動していない位置（以下、この位置を中立位置という）に位置付けられているときは、検知用の板ばね３９の凸部３９ａがラック３６の凹部３６ｃに係合している。この状態から、ラック３６がシャフト２７を回動中心として、時計・反時計方向にわずかに移動すると、検知用の板ばね３９の凸部３９ａは凹部３６ｃとの係合が解除され、ラック３６の上面に乗り上げるため、検知用の板ばね３９の揺動端部によってリミットスイッチ４０が作動する。このリミットスイッチ４０が作動することにより、モータ２８の駆動が停止する。したがって、ラック３６の凹部３７ｃと、検知用の板ばね３９とリミットスイッチ４０とが、ラック３６の中立位置からの移動を検知する移動検知手段４１を構成している。
【００２０】
図１に示すように、アンテナユニット１３には、ベース板２５の取付部２５ｂに取り付けられる枠状に形成されたブラケット４２が備えられており、このブラケット４２には長方形の透孔４３ａが設けられたアンテナ基板４３が固定されている。したがって、ブラケット４２がベース板２５の取付部２５ｂに取り付けられると、アンテナ基板４３が載置部１５ａの下方において、図２に示すように載置部１５ａと平行となるように位置付けられる。この状態で、アンテナ基板４３に形成されたアンテナ部（図示せず）と、載置部１５ａに載置された財布８内の媒体７との間で非接触状態でデータの通信が行われ、アンテナ基板４３に通信されてきたデータは、データ処理手段（図示せず）によってデータの読み・書きが行われる。
【００２１】
また、載置部１５ａの下方に位置付けられたアンテナ基板４３の透孔４３ａは、載置部１５ａの透光部１５ｂに対応しており、上述したように発光素子２３Ａから発光された光２３Ｃは、図２に示すように、載置部１５ａの透光部１５ｂを通過した後、アンテナ基板４３の透孔４３ａを通過し、受光素子２３Ｂに受光される。また、発光素子２３Ａおよび受光素子２３Ｂは、アンテナ基板４３のアンテナ部から発生する磁界の領域外に位置付けられるように、アンテナ基板４３から充分離間した位置に設けられている。したがって、これら発光素子２３Ａおよび受光素子２３Ｂがアンテナ基板４３から発生する磁界の影響を受けることがないから、発光素子２３Ａおよび受光素子２３Ｂが誤動作するようなことがない。このため、これら発光素子２３Ａおよび受光素子２３Ｂによって、媒体７が入った財布８が載置部１５ａに載置されたことを正確に検知することができる。
【００２２】
次に、このように構成された処理装置１における媒体７の処理動作について説明する。予め、シャッタ１１が、図２および図７に示すように載置部１５ａを開放する位置に位置付けられている。この状態で、筺体６の開口６ａから手によって媒体７が入れられた財布８を筺体６内に差し入れ、載置部１５ａ上に載置する。財布８が載置部１５ａ上に載置されると、財布８は発光素子２３Ａおよび受光素子２３Ｂによって検知されるため、モータ２８が正方向に駆動され、シャッタ１１が載置部１５ａを覆う方向に移動を開始する。
【００２３】
このとき、財布８を把持した手が筺体６内に差し入れられたままの状態であると、第１および第２の赤外線発信器２１Ａ，２２Ａと第１および第２の赤外線受信器２１Ｂ，２２Ｂとで手が検知されるため、モータ２８の正方向への駆動が停止される。このため、筺体６内に手が差し入れられたままで誤ってシャッタ１１が載置部１５ａを覆うようなことがないから、閉じようとするシャッタ１１に手が当たることにより、シャッタ１１を駆動している駆動部１２に負荷がかかることを防止することができる。
【００２４】
一方、財布８を把持した手が筺体６の外部に引き出されていることが、第１および第２の赤外線発信器２１Ａ，２２Ａと第１および第２の赤外線受信器２１Ｂ，２２Ｂとで確認されると、モータ２８が正方向に駆動される。モータ２８が正方向に駆動されると、図７においてモータギア３０が反時計方向に回転するため、これと噛合するギア３１が時計方向に回転する。したがって、ギア３１の小径ギア３１ａと噛合するギア３２が反時計方向に回転するため、ピニオン３２ａも一体的に反時計方向に回転し、このピニオン３２ａと噛合する歯３６ｂを有するラック３６がシャフト２７を回動中心として反時計方向に回動する。
【００２５】
ラック３６が反時計方向に回動することにより、このラック３６を弾持している一対の引張りコイルばね３８Ａ，３８Ｂおよび支持板３５を介してシャッタ１１が一体的にシャフト２７を回動中心として反時計方向に回動する。このとき、検知用の板ばね３９の凸部３９がラック３６の凹部３６ｃに係合し、板ばね３９の弾性力によってラック３６の中立位置が保持されているため、シャッタ１１の反時計方向への回動が確実に行われる。
【００２６】
ここで、故意または誤って手等によってシャッタ１１の回動を阻止すると、図８に示すようにラック３６だけが一方の引張りコイルばね３８Ｂの引張力に抗して反時計方向にわずかに回動する。したがって、検知用の板ばね３９の凸部３９ａはラック３６の凹部３６ｃとの係合が解除され、ラック３６の上面に乗り上げるため、検知用の板ばね３９の揺動端部によってリミットスイッチ４０が作動する。このリミットスイッチ４０が作動することにより、モータ２８の駆動が停止するとともに、図示を省略した警報手段が作動する。このように、故意または誤って手等によってシャッタ１１の移動を阻止しようとすると、モータ２８の駆動が停止してシャッタ１１の回動が停止するため、駆動部１２に無理な負荷がかかることがない。また、警報手段の作動によって処理装置１を管理している管理者による対応が速くなるため、管理者にとって使い勝手が向上するだけではなく、利用者に対するサービスの低下を防止することができる。
【００２７】
一方、シャッタ１１がシャフト２７を回動中心として反時計方向に回動することにより、図６に示すようにシャッタ１１によって載置部１５ａが覆われる。この状態で、アンテナ基板４３のアンテナ部（図示せず）と、載置部１５ａに載置された財布８に入れられた媒体７との間で非接触状態でデータの通信が行われ、アンテナ基板４３に通信されてきたデータは、データ処理手段（図示せず）によってデータの読み・書きが行われる。
【００２８】
媒体７に記録されていたデータの処理が終了すると、モータ２８が逆方向に駆動し、図６においてモータギア３０が時計方向に回転するため、これと噛合するギア３１が反時計方向に回転する。したがって、ギア３１の小径ギア３１ａと噛合するギア３２が時計方向に回転するため、ピニオン３２ａも一体的に時計方向に回転し、このピニオン３２ａと噛合する歯３６ｂを有するラック３６がシャフト２７を回動中心として時計方向に回動する。
【００２９】
ラック３６が時計方向に回動することにより、このラック３６を弾持している一対の引張りコイルばね３８Ａ，３８Ｂおよび支持板３５を介してシャッタ１１が一体的にシャフト２７を回動中心として時計方向に回動し、図７に示すように載置部１５ａの上方が開放される。したがって、利用者は筺体６内に手を差し入れて載置部１５ａに載置されている財布８を取り出す。
【００３０】
なお、本実施の形態においては、載置部１５ａに載置される態様として、財布８に入れた媒体７を間接的に載置部１５ａに載置した態様について説明したが、間接的に載置する方法として媒体７が実装されている携帯用端末機を載置する形態でもよく、また、媒体７を直接載置部１５ａに載置する形態でもよい。
【図面の簡単な説明】
【００３１】
【図１】本発明に係る非接触型ＩＣ媒体処理装置を分解して示す斜視図である。
【図２】本発明に係る非接触型ＩＣ媒体処理装置全体の外観を示す斜視図である。
【図３】本発明に係る非接触型ＩＣ媒体処理装置の平面図である。
【図４】図３におけるIV-IV 線断面図である。
【図５】本発明に係る非接触型ＩＣ媒体処理装置において、一部を破断して示す平面図である。
【図６】図５におけるVI-VI 線断面図であって、シャッタを閉じた状態を示す。
【図７】図５におけるVI-VI 線断面図であって、シャッタを開いた状態を示す。
【図８】図５におけるVI-VI 線断面図であって、シャッタを閉じるときに負荷がかかった状態を示す。
【符号の説明】
【００３２】
１…非接触型ＩＣ媒体処理装置（処理装置）、７…非接触型ＩＣ媒体（媒体）、８…財布、１０…載置ユニット、１１…シャッタ、１２…駆動部、１３…アンテナユニット、１５ａ…載置部、１５ｂ…透光部、２１Ａ，２２Ａ…赤外線発信装置、２１Ｂ，２２Ｂ…赤外線受信装置、２３Ａ…発光素子、２３Ｂ…受光素子、２８…モータ、３２ａ…ピニオン、３６…ラック、３６ａ…長孔、３６ｂ…歯、３６ｃ…凹部、３８Ａ，３８Ｂ…引張りコイルばね、３９…検知用の板ばね、３９ａ…凸部、４０…リミットスイッチ、４１…移動検知手段、４３…アンテナ基板、４３ａ…透孔。
【図１】
2010049403.tif 000003
【図２】
2010049403.tif 000004
【図３】
2010049403.tif 000005
【図４】
2010049403.tif 000006
【図５】
2010049403.tif 000007
【図６】
2010049403.tif 000008
【図７】
2010049403.tif 000009
【図８】
2010049403.tif 000010